(57)【要約】【課題】第１に、所定の器具に付着した油を効率的に吸収することができ、第２に、滓等の固形物を簡単かつ確実に除去することができる吸油パッドを提供する。【解決手段】本吸油パッド１は、フライパンＦに付着した油Ｏを吸収するものであって、矩形に形成された複数のシート状の吸収材１０が立てられた状態で層状に積層されており、吸収材１０は、油を含む液状物を吸収可能な不織布により構成されている。本吸油パッド１によれば、層状に積層されたシート状の各吸収材１０の下方端部１２がそれぞれ油Ｏと接触するため、油Ｏとの接触面積が全体として大きくなり、フライパンＦに付着した油Ｏを効率的に吸収することができる。また、各吸収材１０の下方端部１２が食材滓Ｄを掻き取って、各吸収材１０同士の間に保持するため、食材滓Ｄを簡単かつ確実に除去することができる。【選択図】図３
2013192992.tif 000002
【特許請求の範囲】
【請求項１】
所定の器具に付着した油を吸収する吸油パッドであって、複数のシート状の吸収材が層状に積層されていることを特徴とする吸油パッド。
【請求項２】
隣接する前記各吸収材の一方端部同士は連接する態様で固定されて固定端となされているとともに、前記一方端部の反対側に位置する各他方端部は自由端となされている請求項１に記載の吸油パッド。
【請求項３】
隣接する前記各吸収材の一方端部同士は、接着剤により連接する態様で固定されて固定端となされている請求項２に記載の吸油パッド。
【請求項４】
前記吸収材は不織布からなる請求項１ないし請求項３のいずれかに記載の吸油パッド。
【請求項５】
所定の器具に付着した油を吸収する吸油パッドの製造方法であって、
帯状の吸収材を軸部材に層状に巻き付けることによりロール部材を形成する第１の工程と、
前記ロール部材を軸方向に所定間隔で切断することにより環状部材を形成する第２の工程と、
前記環状部材の少なくとも一方側の切断面に接着剤を塗布して乾燥させる第３の工程と、
前記環状部材を周方向に所定間隔で切断することにより吸油パッドを形成する第４の工程とを備えることを特徴とする吸油パッドの製造方法。
【発明の詳細な説明】
【技術分野】
【０００１】
本発明は、所定の器具に付着した油を吸収する吸油パッドおよび該吸油パッドの製造方法に関する。
【背景技術】
【０００２】
一般に、フライパン等の調理器具で調理した後に付着している油は、キッチンペーパ等で拭き取る等して吸収される。ところが、このような油の吸収方法は、キッチンペーパ等を大量に使用しなければならなかった。これに対して、キッチンペーパ等を使用することなく油を吸収することができる吸油パッドというものが従来より知られている（下記特許文献１、特許文献２）。
【０００３】
特許文献１，２に開示される吸油パッドは、不織布で形成された袋体内に未脱脂綿群や綿状パルプの固まりを収納しており、不織布よりなる袋体の端面が油と接触することによって油を吸収するものである。
【先行技術文献】
【特許文献】
【０００４】
【特許文献１】特開２００７−７５２９号
【特許文献２】特開平６−２３３９３４号
【発明の概要】
【発明が解決しようとする課題】
【０００５】
しかしながら、従来の吸油パッドは、油を吸収するに際して単に袋体の端面だけが油と接触することから、油との接触面積が小さいため、油を十分に吸収することができないという問題があった。もとより、袋体の端面を大きくすれば油との接触面積が大きくなるため、多くの油を吸収することが可能であるが、一方で吸油パッド自体のサイズが大きくなるため、使いづらいものとなってしまう。また、袋体の端面だけが油と接触するという点については変わっていないため、油を十分に吸収できないという問題は解決していない。
【０００６】
また、調理器具には油とともに調理中に生じた食材の滓（かす）等が残ることがあるが、袋体の端面が平坦状であるため、従来の吸油パッドでは滓等を押しやることはできても除去することはできないという問題もあった。
【０００７】
なお、上述のような問題は、調理器具に付着した油を吸収する場合に限られることではなく、例えば各種装置や部材等の所定の器具に付着した油を吸収する場合等、各産業の種々の場面においても同様に生じ得る問題である。
【０００８】
本発明は、第１に、所定の器具に付着した油を効率的に吸収することができ、第２に、滓等の固形物を簡単かつ確実に除去することができる吸油パッドおよび該吸油パッドの製造方法を提供することを目的とする。
【課題を解決するための手段】
【０００９】
本発明に係る吸油パッドは、所定の器具に付着した油を吸収するものであって、上記目的を達成するために、複数のシート状の吸収材が層状に積層されていることを特徴とする。
【００１０】
これによれば、層状に積層されたシート状の各吸収材の端部がそれぞれ油と接触するため、油との接触面積が全体として大きくなり、所定の器具に付着した油を効率的に吸収することができる。また、シート状の各吸収材の端部が滓等の固形物を掻き取って各吸収材同士の間に保持するため、滓等の固形物を簡単かつ確実に除去することができる。
【００１１】
また、隣接する前記各吸収材の一方端部同士は連接する態様で固定されて固定端となされているとともに、前記一方端部の反対側に位置する各他方端部は自由端となされているのが好ましい。これによれば、各吸収材の他方端部同士が広がり易くなるため、油との接触面積が全体としてより大きくなり、油をより効率的に吸収することができる。また、滓等の固形物を保持する各吸収材間が広くなるため、より多くの滓等の固形物を簡単かつ確実に除去することができる。
【００１２】
また、隣接する前記各吸収材の一方端部同士は、接着剤により連接する態様で固定されて固定端となされているのが好ましい。これによれば、隣接する各吸収材の一方端部同士を簡単かつ確実に固定することができる。
【００１３】
また、吸収材は不織布からなるのが好ましい。これによれば、油をより一層効率的に吸収することができる。
【００１４】
本発明の他の局面において、所定の器具に付着した油を吸収する吸油パッドの製造方法は、上記目的を達成するために、帯状の吸収材を軸部材に層状に巻き付けることによりロール部材を形成する第１の工程と、前記ロール部材を軸方向に所定間隔で切断することにより環状部材を形成する第２の工程と、前記環状部材の少なくとも一方側の切断面に接着剤を塗布して乾燥させる第３の工程と、前記環状部材を周方向に所定間隔で切断することにより吸油パッドを形成する第４の工程とを備えることを特徴とする。
【００１５】
これによれば、従来よりキッチンペーパ等の製造で稼働している設備を適用し得るため、上記の吸油パッドを安価に製造することが可能になる。
【発明の効果】
【００１６】
本発明によれば、層状に積層されたシート状の各吸収材の端部がそれぞれ油と接触するため、油との接触面積が全体として大きくなり、所定の器具に付着した油を効率的に吸収することができる。また、シート状の各吸収材の端部が滓等の固形物を掻き取って各吸収材同士の間に保持するため、滓等の固形物を簡単かつ確実に除去することができる。
【００１７】
このため、例えば本吸油パッドを調理器具に適用する場合、本吸油パッドを箸やトング等で保持可能な大きさにすれば、一般の主婦等でも油の吸収や食材滓等の除去を簡単に行うことが可能になる。また、本吸油パッドをてんぷら料理後の鍋等に投入することにより、多量の油を吸収することが可能である。また、各産業の種々の場面において本吸油パッドを油の吸収に適用したり、粉塵等の固形物も除去することも可能になる。
【図面の簡単な説明】
【００１８】
【図１】第１の実施形態に係る吸油パッドを示す斜視図である。
【図２】図１の吸油パッドの（ａ）左側面図、および（ｂ）背面図である。
【図３】図１の吸油パッドの使用状況を示す（ａ）斜視図、および（ｂ）Ｉ−Ｉ線断面矢視図である。
【図４】図１の吸油パッドの使用状況を示す（ａ）斜視図、および（ｂ）ＩＩ−ＩＩ線断面矢視図である。
【図５】吸油パッドの製造工程を示す図である。
【図６】第２の実施形態に係る吸油パッドを示す斜視図である。
【発明を実施するための形態】
【００１９】
＜第１の実施形態＞
次に、本発明に係る吸油パッドの第１の実施形態について図１〜図５を用いて説明する。
【００２０】
本実施形態の吸油パッド１は、図１に示すように、フライパンＦ等の調理器具に付着した油を吸収するものであり、箸やトング等で挟むことができる大きさで形成されている。この吸油パッド１は、８０枚のシート状の吸収材１０が層状に積層されており、全体として上面部１１、下面部１２、右側面部１３、左側面部１４、正面部１５および背面部１６を備えている。
【００２１】
前記各吸収材１０は、油を含む液状物を吸収可能な不織布により構成されており、例えばキッチンペーパ等を構成するパルプ不織布よりなる。各吸収材１０は、いずれも幅広の矩形状に形成されており、上側端部１０１、下側端部１０２、右側端部１０３および左側端部１０４とを備える。而して、各吸収材１０が厚み方向に層状に積層されると、各吸収材１０の上側端部１０１、下側端部１０２、右側端部１０３、左側端部１０４が、それぞれ上面部１１、下面部１２、右側面部１３、左側面部部１４を形成する。また、最前部の吸収材１０の表面が正面部１５を形成し、最後部の吸収材１０の表面が背面部１６を形成する。
【００２２】
また、各吸収材１０は、積層されている方向（以下、積層方向という）に沿って、各吸収材１０における幅方向の大きさが一定で、高さ方向の大きさが次第に大きくなっていくように、それぞれ相似形状に形成されている。このため、本吸油パッド１は、全体として上面部１１および下面部１２が積層方向に向かって次第に広がっていく関係をなし、右側面部１３および左側面部１４、また、正面部１５および背面部１６が互いに略平行の関係をなしている。
【００２３】
また、上記各吸収材１０の上側端部１０１、下側端部１０２、左側端部１０４は、先端面１０１ａ，１０２ａ，１０４ａと、各先端面１０１ａ，１０２ａ，１０４ａ近傍の側面１０１ｂ，１０２ｂ，１０４ｂとを備えており、後述するように先端面１０１ａ，１０２ａ，１０４ａおよび側面１０１ｂ，１０２ｂ，１０４ｂに油Ｏが接触することによって、油Ｏを吸収することができる。
【００２４】
また、隣接する各吸収材１０の右側端部１０３同士は連接する態様で固定されて固定端となされている。具体的には、隣接する各吸収材１０の右側端部１０３同士は、各吸収材１０が層状に積層されることによって連続的に配置されており、接着剤Ｒにより連接する態様で一体的に固定されている。これにより、各吸収材１０の右側端部１０３はいわゆる固定端となされ、このことにより右側面部１３が固定面となされる。また、右側端部１０３の反対側に位置する各左側端部１０４は互いに固定されていない自由端となされている。このように、隣接する各吸収材１０の右側端部１０３同士が連接する態様で固定されて固定端となされているとともに、各左側端部１０４は自由端となされていることにより、左側端部１０４同士が広がり易いものとなっている。
【００２５】
次に、本吸油パッド１の使用例について図３を参照しつつ説明する。本例では、本吸油パッド１の下面部１２を利用する場合について説明する。
【００２６】
図３（ａ）に示すように、フライパンＦと本吸油パッド１の下面部１２を接触させる態様でフライパンＦ上に本吸油パッド１を載置し、吸収材１０の積層方向（図中の矢印が示す方向）に向かって摺動させる。
【００２７】
ここで、一の吸収材１０に注目して、図３（ｂ）に示すように、吸収材１０の下側端部１０２は、フライパンＦとの摩擦により移動方向の逆側に向かって変形し、先端面１０２ａ近傍の側面１０２ｂが下方側に露出する。このため、一の吸収材１０の下側端部１０２としては、先端面１０２ａに加えて側面１０２ｂも油Ｏと接触することが可能になる。また、このことはその他の各吸収材１０の下側端部１０２のそれぞれにおいても同様である。
【００２８】
したがって、各吸収材１０の下側端部１０２（先端面１０２ａおよび側面１０２ｂ）がそれぞれ油Ｏと接触することより、端面のみからなる単なる平坦状の下面部の場合と比べて、油Ｏとの接触面積が大きくなるため、フライパンＦに付着した油Ｏを効率的に吸収することができる。
【００２９】
また、各吸収材１０の下側端部１０２がフライパンＦ上の食材滓Ｄを掻き取って、該食材滓Ｄを吸収材１０同士の間に保持するため、食材滓Ｄを簡単かつ確実に除去することができる。
【００３０】
なお、本吸油パッド１の摺動方向を逆にしても同様、フライパンＦに付着した油Ｏを効率的に吸収することができるとともに、食材滓Ｄを簡単かつ確実に除去することもできる。
【００３１】
次に、本吸油パッド１の他の使用例について図４を参照しつつ説明する。本例では、本吸油パッド１の左側面部１４を利用する場合について説明する。
【００３２】
図４（ａ）に示すように、フライパンＦと本吸油パッド１の左側面部１４とを接触させる態様でフライパンＦ上に本吸油パッド１を載置し、吸収材１０の積層方向に向かって摺動させる。これにより、図４（ｂ）に示すように、上述の使用例と同様、層状に積層されたシート状の各吸収材１０の左側端部１０４（先端面１０４ａおよび側面１０４ｂ）がそれぞれ油Ｏと接触するため、油Ｏとの接触面積が全体として大きくなり、フライパンＦに付着した油Ｏを効率的に吸収することができる。また、各吸収材１０の左側端部１０４がフライパンＦ上の食材滓Ｄを掻き取って該食材滓Ｄを吸収材１０同士の間に保持するため、食材滓Ｄを簡単かつ確実に除去することができる。
【００３３】
さらに、本例では、隣接する各吸収材１０の右側端部１０３同士が連接する態様で固定されて固定端となされているとともに、各左側端部１０４は自由端となされていることにより、左側端部１０４同士が広がり易くなっている。これにより、各吸収材１０は、左側端部１０４の側面１０４ｂがより広範囲に油Ｏと接触するため、油Ｏとの接触面積が全体としてより大きくなり、油Ｏをより効率的に吸収することができる。
【００３４】
また、図４（ｂ）に示すように、食材滓Ｄを除去する左側端部１０４同士が広がり易くなっていることよって、食材滓Ｄを保持する各吸収材１０間が広くなっているため、より多くの食材滓Ｄを簡単かつ確実に除去することができる。なお、上述したように油Ｏをより効率的に吸収したことによって多くの油Ｏが広い範囲で吸収材１０に浸透している。このため、油Ｏが浸透している部分には吸着力が生じているため、各吸収材１０間に保持した食材滓Ｄを落とすことなく除去することができる。
【００３５】
また、広がり易くなっている左側端部１０４側を利用して刷毛的に食材滓Ｄを集めたりあるいは払ったりすることもできる。
【００３６】
なお、本吸油パッド１の摺動方向を逆にしても、同様、フライパンＦに付着した油Ｏをより効率的に吸収することができるとともに、より多くの食材滓Ｄを簡単かつ確実に除去することもできる。
【００３７】
次に、本吸油パッド１の製造方法について図５を参照しつつ説明する。
【００３８】
まず、図５（ａ）に示すように、帯状の吸収材１０を軸部材３０に層状に巻き付けることによりロール部材３１を形成する（第１の工程）。具体的には、切断可能な軸部材３０に帯状の吸収材１０の端部を接続し、図示略の巻取装置によって軸回転させる。すると、軸部材３０に吸収材１０が巻き付けられて、軸部材３０の周囲に吸収材１０が層状に積層されるため、ロール部材３１が形成される。
【００３９】
次に、図５（ｂ）に示すように、ロール部材３１を軸方向に図中の破線で示した所定間隔で切断することにより環状部材３２を形成する（第２の工程）。ここでの所定間隔は３〜６ｃｍ範囲内での一定間隔であり、これにより箸等で挟み易くなる等、吸油パッド１を使用するに際しての取り扱いが簡単になる。
【００４０】
次に、図５（ｃ）に示すように、各環状部材３２の一方側の切断面に接着剤Ｒを塗布して乾燥させる（第３の工程）。
【００４１】
次に、図５（ｄ）に示すように、環状部材３２を周方向に図中の破線で示した所定間隔で切断することにより吸油パッド１を形成する（第４の工程）。ここでの所定間隔は周方向に１６等分（２２．５度）の間隔であり、これにより吸油パッド１を使用するに際しての取り扱いがより簡単になる。
【００４２】
これらの工程により、図５（ｅ）および図１に示す吸油パッド１を製造することができる。なお、軸部材３０は第２の工程での切断以降であれば外しても外さなくてもよい。
【００４３】
以上の製造方法によれば、従来よりキッチンペーパ等の製造で稼働している設備を適用し得るため、吸油パッド１を安価に製造することが可能になる。
【００４４】
なお、第２の工程において、所定間隔は３〜６ｃｍである場合について説明したが、これ以外の間隔でもよい。
【００４５】
また、第４の工程において、所定間隔は周方向に１６等分である場合について説明したが、これ以外の間隔でもよい。
【００４６】
また、本吸油パッド１は、上述の製造方法によって製造される場合について説明したが、上述の製造方法によって製造されるものに限られない。例えば、第４の工程を行わずに環状部材３２の状態のものも本発明に係る吸油パッドとしてもよい。
【００４７】
また、キッチンペーパ等の製造工程において生じる廃端材を利用して本吸油パッドを製造することも可能である。例えば、キッチンペーパの場合、上記第１の工程と同様にキッチンペーパの基となる帯状の不織布を軸部材に層状に巻き付けてロール部材を形成し、該ロール部材を既定サイズで切断することによりキッチンペーパとして商品化される。このとき、既定サイズで切断した際のロール部材の両端は、商品化されずに廃端材として捨てられることが多い。この廃端材を用いて第３の工程と第４の工程を行うことにより、廃端材を本吸油パッド１としてもよい。これによれば、従来までは単なる廃棄物とされていた廃端材が吸油パッドとして有用なものとなるため、資源の有効利用とコストダウンを図ることができる。
【００４８】
＜第２の実施形態＞
次に、本発明に係る吸油パッドの第２の実施形態について図６を用いて説明する。本実施形態では、食材滓Ｄの掻き取り力が高い吸油パッド２について説明する。
【００４９】
なお、以下では、上記実施形態と異なる構成について説明することとし、同一の構成については同一の符号を付し、その説明を省略する。
【００５０】
本実施形態に係る吸油パッド２は、図６に示すように、隣接する各吸収材１０の右側端部１０３同士が接着材Ｒにより連接する態様で固定されて固定端となされているとともに、右側端部１０３の反対側に位置する各左側端部１０４同士も接着材Ｒにより連接する態様で固定されて固定端となされている。なお、これにより右側面部１３および左側面部１４はいずれも固定面となされている。
【００５１】
本吸油パッド２によれば、吸収材１０の右側端部１０３および左側端部１０４がいずれも固定端となされていることにより、各吸収材１０自体の姿勢が維持されるため、食材滓Ｄから受ける力に対抗し得る抗力が各吸収材１０の上側端部１０１および下側端部１０２に生じる。したがって、食材滓Ｄを掻き取るための力（掻き取り力）が高くなるため、フライパンＦに食材滓Ｄがこびり付いている場合でも簡単かつ確実に除去することができる。
【００５２】
なお、上記各実施形態において、吸収材１０は積層方向に沿って高さ方向の大きさが次第に大きくなる場合について説明したが、高さが同一であってもよい。
【００５３】
また、吸収材１０は積層方向に沿って幅方向の大きさが一定である場合について説明したが、変化してもよい。
【００５４】
また、吸収材１０が不織布である場合について説明したが、その他の素材であってもよい。
【００５５】
また、吸油パッド１，２の下面部１２および左側面部１４を利用する場合について説明したが、上面部１１あるいは右側面部１３を利用してもよい。
【００５６】
また、吸油パッド１，２において固定面となされるのは１面または２面である場合について説明したが、３面であってもよい。この場合、上面部１１、下面部１２、右側面部１３および左側面部１４のうちの任意の３面である。
【００５７】
また、隣接する各吸収材１０の右側端部１０３同士や左側端部１０４同士が接着剤Ｒにより連接する態様で固定されている場合について説明したが、その他の手段により連接する態様で固定されてもよい。
【００５８】
また、８０枚の吸収材１０が積層される場合について説明したが、複数枚であれば何枚でもよい。ただし、効果的に油を吸収することを考慮すると、少なくとも１０枚以上であり、好ましくは３０枚以上であるのがよい。
【００５９】
また、図３（ｂ）および図４（ｂ）に示すように、本実施形態では説明の都合上、各吸収材１０同士の間隔を誇張して図示したが、実際には当該間隔は非常に狭いものである。なお、各吸収材１０同士の間隔をなくして、隙間なく互いに接触する態様で積層してもよい。
【００６０】
また、吸油パッド１，２はフライパンＦに付着した油Ｏの吸収および食材滓Ｄの除去について適用する場合について説明したが、フライパンＦ以外の調理器具であってもよい。あるいは、工業用機械の油の吸収や粉塵の除去等のような各産業の種々の場面において適用してもよい。
【００６１】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６２】
１，２…吸油パッド
１０…吸収材
１０１…上側端部
１０１ａ…先端面
１０１ｂ…側面
１０２…下側端部
１０２ａ…先端面
１０２ｂ…側面
１０３…右側端部
１０４…左側端部
１０４ａ…先端面
１０４ｂ…側面
１１…上面部
１２…下面部
１３…右側面部
１４…左側面部
３０…軸部材
３１…ロール部材
３２…環状部材
【図１】
2013192992.tif 000003
【図２】
2013192992.tif 000004
【図３】
2013192992.tif 000005
【図４】
2013192992.tif 000006
【図５】
2013192992.tif 000007
【図６】
2013192992.tif 000008